(57)【要約】  アンテナ給電アセンブリ（１５）が提供される。これは、互いに隣接する位置にある少なくとも２つの細長い給電チェーン（１，２）を備えている。各給電チェーンは、それ自体とアンテナ（３４）との間で、その縦方向の給電軸（３，４）に沿って、送信／受信素子（７）を介して、電磁放射を送信または受信するように適合されている。給電チェーン（１，２）は、給電チェーンの軸方向に間隔をあけられた第１および第２の架台（５，６）によって、互いに対して固定された横方向の関係に保持されている。送信／受信素子（７，８）は、第１の架台（５）から軸方向にアンテナの方へ伸びていて、第２の架台（６）は、第１の架台（５）のアンテナから離れた側に配置されている。第１の架台（５）は、第２の架台（６）より低い横方向の熱膨張係数を有していて、これによりアセンブリ（１５）の温度変化による各送信／受信素子（７，８）の横方向の平行移動は減少する。
2011515934.tif 000002
【特許請求の範囲】
【請求項１】
アンテナ給電アセンブリにおいて、少なくとも２つの給電チェーンを備えていて、各々は縦方向の給電軸を有していて、給電チェーンは横方向に互いに隣接して配置されていて、各給電チェーンは、それ自体とアンテナの反射器との間で、その縦方向の給電軸に沿って、送信／受信素子を介して、電磁放射を送信または受信するように適合されていて、複数の給電チェーンは、軸方向に間隔を置かれた第１および第２の架台によって、互いに対して固定された関係に保持されていて、給電チェーンは、反射器の方へ第１の架台を越えて第２の架台から軸方向に伸びていて、送信／受信素子は、第１の架台と反射器の間に配置されていて、第１の架台は、第２の架台より低い横方向の熱膨張係数を有していて、これによりアセンブリの温度変化によって引き起こされる横方向の各送信／受信素子の平行移動を減らすことを特徴とするアンテナ給電アセンブリ。
【請求項２】
第１の架台の熱膨張係数α１と第２の架台の熱膨張係数α２の関係は、式
【数１】
2011515934.tif 000012
によって与えられ、ここでａは送信／受信素子から第１の架台までの軸方向距離であり、ｂは第１の架台と第２の架台との軸方向間隔であることを特徴とする請求項１に記載のアセンブリ。
【請求項３】
架台は、各給電チェーンの給電軸と略直角をなして配置されたパネルを備えていて、このパネルは開口を定めていて、それを貫通して各給電チェーンが伸びていることを特徴とする請求項１または２に記載のアセンブリ。
【請求項４】
第１の架台はチタンを含み、第２の架台はアルミニウムを含んでいることを特徴とする請求項１，２または３に記載のアセンブリ。
【請求項５】
送信／受信素子から第１の架台までの軸方向距離と、第１の架台と第２の架台との軸方向間隔との比は、１:２であることを特徴とする請求項４に記載のアセンブリ。
【請求項６】
各給電チェーンは、使用中の反射器の最も近くに位置するその端に給電ホーンを備えていて、第２の端にＯＭＴを備えていて、かつ給電ホーンとＯＭＴの間に伸びている波動偏向素子を備えていることを特徴とする請求項１から５のうちのいずれか一項に記載のアセンブリ。
【請求項７】
架台は、給電チェーンに取り付け可能で、前記パネルの開口を定めている壁と係合するように適合されたフランジを有していることを特徴とする請求項３に従属する場合のいずれかの先行している請求項に記載のアセンブリ。
【請求項８】
フランジは、前記開口の壁との密な嵌合を定めていて、これにより正確にパネルの中での給電チェーンの位置を決めていることを特徴とする請求項７に記載のアセンブリ。
【請求項９】
第２の架台は、パネルを備えていて、かつ給電チェーンをパネルに接続しているブラケットを含み、このブラケットは、パネルと給電チェーンの相互の位置決めにおける限られた許容誤差を許すことを特徴とする請求項１から８のうちのいずれか一項に記載のアセンブリ。
【請求項１０】
互いに密に隣接して配置された給電ホーンを持つ給電チェーンのアレイを備えていることを特徴とする請求項６に従属する場合のいずれかの先行している請求項に記載のアセンブリ。
【請求項１１】
給電軸が互いと交差することを特徴とする請求項１から１０のうちのいずれか一項に記載のアセンブリ。
【請求項１２】
給電軸がアンテナ反射器の部分で互いと交差することを特徴とする請求項１１に記載のアセンブリ。
【請求項１３】
請求項１から１２のうちのいずれか一項に記載のアンテナ給電アセンブリを備えた通信アンテナアセンブリ。
【請求項１４】
地上との衛星通信のためのアップリンク／ダウンリンク電子装置を備えていることを特徴とする請求項１３に記載の通信アンテナアセンブリ。
【請求項１５】
請求項１３または１４に記載の通信アンテナアセンブリを組み込んでいる通信衛星。
【発明の詳細な説明】
【技術分野】
【０００１】
本発明は、アンテナ給電アセンブリに関し、特に、しかし以下のものに限定されるわけではないが、衛星通信のために用いられるもの、特に、給電アセンブリの温度変動によって引き起こされるアンテナに対するビーム照準（pointing）誤差に関する。
【背景技術】
【０００２】
衛星の通信アンテナに対して、衛星の温度変動によるアンテナに対するビーム照準誤差を避けることは、長く困難であった。これらの温度変動は、概して、太陽の放射の中および外への衛星の移動によって引き起こされる。この発生の特定の例は、静止衛星のそれである。これらは、地球の周囲を回り、それらがそうするにつれて、太陽の放射の中および外を通過する。このような温度変化は、通常は、ほぼ摂氏１００度程度であって、全衛星に影響を及ぼすが、特に衛星の外側の付加物に影響を及ぼす。
【０００３】
通信衛星アンテナは、給電アセンブリの中に設けられている給電の焦点面から反射器に送信される電磁放射によって給電される。給電アセンブリは、通常、互いに隣接して配置された細長い給電チェーンのアレイを備えている。各々は、電磁放射、例えばマイクロ波をアンテナの様々な部分に向けていて、これによりアンテナは、例えば特定の国にわたるテレビまたは携帯電話の受信可能範囲（coverage）を与えるために、対応する放射のビームを地球表面の所定領域に向ける。二重偏向（polarised）信号を送信／受信する各給電チェーンは、通常、波動偏向器（polariser）につながっている反射器に最も近い端に円錐給電ホーンを備えていて、反射器から最も遠い端にオルトモードトランスデューサ（ortho mode transducer；ＯＭＴ）を備えている。給電ホーンは、通常、共に密に集められたホーンのアレイの中に配置されている。この配置は、衛星のアンテナから地上に送信されるビームが、衛星から見える地球表面のその一部の実質的に連続的な受信可能範囲を与えることを可能にする。あるいは、地球表面の選択された不連続な領域が、受信可能範囲のための目標とされることもある。例えば、ポルトガルはテレコミュニケーション受信可能範囲のために選択されているが、スペインはそうではない、といったように。
【０００４】
地球表面から約３５，０００キロメートル離れたところの静止衛星に対して、アンテナに対する給電ホーンの相対位置の小さな変動ですら、その給電ホーンから地球表面に当てているビームパターンのかなりの動きを引き起こし得る。例えば、給電ホーンアセンブリにおける温度変化による給電ホーンの横方向の動きが、０．０１度のビーム照準はずれ（de-point）を引き起こし得る。それは、６キロメートルの地球表面上でのビーム位置の動きを与えることができる。従って、このような給電アセンブリが、給電チェーンのための架台の熱膨張または収縮による位置の変化に極めて敏感であり得ることは認められるであろう。
【０００５】
重量節減の理由のために、給電チェーンは、しばしばアルミニウム合金構造に取り付けられる。しかしながら、この材料は、比較的高い熱膨張係数を有していて、アセンブリが大きい温度変化を受ける時の互いに対する給電ホーンの横方向の動きは、ビーム受信可能範囲の変化のために容認できなくなる可能性がある。特に、ビーム当たり単一給電（single feed per beam；ＳＦＢ）のアンテナによる、地球表面上の６キロメートルのビームの動きは、領域がそもそも信号によってカバーされるかどうか、または領域が充分な強さの信号を受信するかどうかに対して、重大な差になり得る。例えば、それは、テレコミュニケーション受信可能範囲として契約された大都会の一部を、ビーム受信可能範囲外に移動させるかもしれない。
【０００６】
低歪み要求が衛星に適用される時、給電チェーンのための架台は、低歪み材料、例えば、炭素繊維強化プラスチック（ＣＦＲＰ）またはインバールから作られ得る。しかし、これらの材料は、使用するのに高価であり、かつインバールの場合、重い。インバールは８．０の比重を有する。ＣＦＲＰは、非常に高い質量に対する強さ／剛性の比の構造を形成するために製造され得るが、熱伝導率が低く、給電アセンブリの冷却をより困難にする。また、ボルト締め又は他の機械的インターフェイスによる製造は、この材料に対して問題がある可能性がある。
【発明の概要】
【発明が解決しようとする課題】
【０００７】
本発明の目的は、従来技術と関連したいくつかの問題点を克服するアンテナのための給電アセンブリを提供することである。
【課題を解決するための手段】
【０００８】
本発明の第１の態様によれば、以下のようなアンテナ給電アセンブリが提供される。
すなわち、少なくとも２つの給電チェーンを備えていて、各々は、縦方向の給電軸を有していて、給電チェーンは、横方向に互いに隣接して配置されていて、各給電チェーンは、それ自体とアンテナの反射器との間で、その縦方向の給電軸に沿って、送信／受信素子を介して、電磁放射を送信または受信するように適合されていて、給電チェーンは、軸方向に間隔を置かれた第１および第２の架台によって、互いに対して固定された関係に保持されていて、給電チェーンは、反射器の方へ第１の架台を越えて第２の架台から軸方向に伸びていて、送信／受信素子は、第１の架台と反射器の間に配置されていて、第１の架台は、第２の架台より低い横方向の熱膨張係数を有していて、これによりアセンブリの温度変化によって引き起こされる横方向の各送信／受信素子の平行移動を減らす。
【０００９】
アセンブリが温度の上昇または低下を受けると、第１の架台は、給電チェーンの給電軸と略直角をなす方向に、その熱膨張係数に比例する量だけ、膨張または収縮することは認められるであろう。同様に、第２の架台は、それがより大きい熱膨張係数を有するので、より多くの量だけ膨張または収縮する。各給電チェーンは剛性構造であるので、配置のジオメトリにより、第１の架台からアンテナ反射器の方へ突き出ている給電チェーンのいかなる素子も、上述した略直角をなす方向に、第１および第２の架台上または間のいかなる位置よりも小さい量だけ動かされる。このジオメトリは、図１および２に示されている。
【００１０】
送信／受信素子は、通常マイクロ波への応用のために形状が円錐である給電ホーンである。ホーンは、内部に段をつけられていてもよいし、合成円錐形状でもよく、電気的な性能を最適化するために内部の輪郭が描かれ得る。横方向の位置決めが重要である素子の部分は、通常、給電ホーンのリムによって定められる開口である。あるいは、通常、給電ホーンのリムから少量、軸方向に内部へ配置された給電ホーンの位相中心が、送信／受信素子の重要な部分と考えられ得る。このように、用語「送信／受信素子」は、横方向の位置決めが重要であると考えられる送信／受信素子のその部分と解釈されなければならない。
【００１１】
給電アセンブリのための最も望ましいジオメトリは、送信／受信素子の重要な部分が、アセンブリの温度変化によって横方向に全く偏向されないものである。これが起こるためには、第１の架台の熱膨張係数（α１）と第２の架台の熱膨張係数（α２）との関係が、以下の式によって与えられる。
【００１２】
【数１】
2011515934.tif 000003
【００１３】
ここでａは送信／受信素子から第１の架台までの軸方向距離であり、ｂは第１の架台と第２の架台との軸方向間隔（separation）である。
【００１４】
１つの架台、および好ましくは両方の架台は、各給電チェーンの給電軸と略直角をなして配置されたパネルを有していてもよく、パネルは、それを通して各給電チェーンが伸びる開口を定めている。
【００１５】
本発明によれば、第１の架台を形成しているパネルは、パネル面において、第２の架台のパネルより低い熱膨張係数を有していることは認められるであろう。都合の良いことに、第１の架台は、チタンを含んでいてもよく、第２の架台は、アルミニウムを含んでいてもよい。チタンの熱膨張係数は、８．５×１０−６であり、アルミニウムのそれは、２３．０×１０−６である。これらの係数の比は０．３７０である。従って、第１の架台のためにチタンパネルを用い、かつ第２の架台のためにアルミニウムパネルを用いる、本発明の好ましい実施形態は、この比を利用するために、送信／受信素子から第１の架台までの軸方向距離を１単位と定め、第１の架台と第２の架台との軸方向間隔を２単位と定めるかもしれない。
【００１６】
各給電チェーンは、通常、使用中のアンテナ反射器の最も近くに配置されたその端に給電ホーンを備えていて、かつ第２の端にＯＭＴを備えていて、給電ホーンとＯＭＴは、その間に伸びている波動偏向素子（wave polarising element）によって離隔されている。
【００１７】
第１の架台は前記パネルを備えているが、この架台は、給電チェーン、例えば給電チェーンのホーンに取り付け可能で、パネルの前記開口を定めている壁と係合するように適合されたフランジを備えていてもよい。
【００１８】
フランジは、好ましくは、前記開口の壁との密な嵌合を定めていて、これにより正確にパネルの中での給電チェーンの位置を決める。
【００１９】
第２の架台は前記パネルを備えているが、それは、給電チェーンをパネルに連結しているブラケットを備えていてもよく、このブラケットは、パネルと給電チェーンの相対的な位置決めにおける限られた許容誤差を許す。
【００２０】
各ブラケットは、２つの直角に穴をあけられた部材を含んでいてもよく、各々は、それを通して１つ以上の締め金具を受け、給電チェーンを架台に固定する。
【００２１】
アセンブリは、互いに密に隣接して配置された給電ホーンを有する給電チェーンのアレイを備えていてもよい。給電チェーンの任意の適切な数が想定され、それは、空間に関して経済的な方法で互いに集められ得る。
【００２２】
それぞれの給電チェーンの給電軸は、アンテナの方へ互いと平行に伸びていてもよい。または、アンテナ反射器の領域において交差していてもよい。
【００２３】
本発明の第２の態様によれば、本発明の第１の態様によるアンテナ給電アセンブリを含む通信アンテナアセンブリ、例えばマイクロ波通信アンテナアセンブリが提供される。
【００２４】
本発明の第３の態様によれば、アップリンクおよび／またはダウンリンクの、通常電子的な、地球または他の衛星との衛星通信のための信号処理装置を含む、本発明の第２の態様による通信アンテナアセンブリが提供される。
【００２５】
本発明の第４の態様によれば、本発明の第３の態様による通信アンテナアセンブリを組み込んでいる通信衛星が提供される。
【００２６】
以下、本発明が、添付の図面を参照して例として記載される。
【図面の簡単な説明】
【００２７】
【図１】２つの給電チェーンと第１および第２のパネル架台とを備えた給電アセンブリの側面の輪郭、一部は断面の図である。
【図２】本発明による幾何学的配置を示している。
【図３】完全なボアサイトを与える給電チェーンからアンテナ反射器に入射している放射パターンを概略的に示している。
【図４】図３と同様の配置を示しているが、給電チェーンが横にずれていて、アンテナボアサイト誤差を引き起こしている。
【図５】図４と同様の配置を示していて、給電チェーンの給電軸が、傾けられているが、横にずれてはいない。
【図６】第１および第２のパネルに取り付けられた給電チェーンの側面、一部断面の図であり、架台の詳細を示している。
【図７】給電アセンブリの三次元の図であり、第１のパネルに取り付けられた給電ホーンと、第２のパネルに取り付けられたＯＭＴとを示している。
【図８】第２のパネルに取り付けられたＯＭＴの三次元の図である。
【図９】それぞれ第１および第２のパネルにおける給電チェーンの架台の必要な柔軟性を概略的に示している。
【図１０】図９と同様の配置を概略的に示しているが、過度に堅いパネル架台を用いている。
【図１１】図１０と同様の配置を概略的に示しているが、より曲がりやすいパネル架台を用いている。
【図１２】２つのアンテナアセンブリを有する通信衛星の三次元の図である。
【発明を実施するための形態】
【００２８】
図面を参照すると、図１に示されている配置は、給電アセンブリ１５を備えている。図１は、隣接する給電チェーン１，２を示していて、各々は、縦方向の給電軸３，４を定めていて、第１の取付パネル（mounting panel）５および第２の取付パネル６に取り付けられている。給電チェーンは、各々、給電ホーン７，８と、（図示していない）アンテナ反射器に最も近い給電チェーンの端９，１０とを有している。各給電ホーン７，８は、反射器に面しているリム１１，１２を定めている。各リム１１，１２は、その中に給電開口（feed aperture）１３（図７参照）を定めている。各給電ホーン７，８は、位相中心（phase centre）１４も定めている。給電ホーン７，８は、その時に、送信するために用いられているか、または受信するために用いられているかによって、アセンブリ１５のための送信または受信素子として用いられ得る。そして、給電開口１３または位相中心１４の横方向の位置決めは、アセンブリの設計に対して重要であると考えられ得る。図１から分かるように、第１の取付パネル５から給電開口１３までの軸方向距離を「ａ」とし、位相中心までのそれを「ａ’」とする。各給電ホーン７，８は、偏向素子（polarising element）１６，１７に連結されていて、これらは次にＯＭＴ１８，１９に連結されている。
【００２９】
図１は、第１および第２のパネル５，６に対する取り付けの詳細であり、更に詳細に図６，７および８に示されている。図６から、第１の取付パネル５は、その中に肘付き（elbowed）開口２０を定めていることが分かる。給電ホーン７に固定されたフランジ２１は、堅い摺動で肘付き開口２０に嵌合され、パネル５を通してフランジ２１を係合するボルト２２，２３によって位置を固定される。このように、給電ホーンは、この配置によって軸３の縦方向および横方向に正確に位置決めされる。
【００３０】
特に図６，７および８を参照すると、第２の取付パネル６に対する取り付けが示されている。パネル６は、同様に、肘付き開口２４（図６参照）を定めている。しかし、アセンブリ１５のバルク温度変化が起こる時の給電チェーン１とパネル６間での相対的な動きを考慮に入れるために、パネル６に対する取り付けは、パネル５に対する取り付けより曲がりやすく設計されている。ブラケット２５，２６は、給電チェーンのＯＭＴを、パネル６に対して正しい位置に保つ。これらの取り付けは、必要な限られた柔軟性を提供することを意図している。各ブラケット２５，２６は、相互に直角をなす部材２７，２８を備えていて、各々はボルト孔２９を定めている。ボルト３０は、ブラケット２５，２６をパネル６および給電チェーンのＯＭＴにそれぞれ固定している。静的許容誤差は、ボルトよりわずかに大きいボルト孔を形成することによって吸収され、例えば温度変化による動的許容誤差は、各ブラケット２５，２６に設計された柔軟性によって吸収され得ることは認められるであろう。
【００３１】
より限られた柔軟性が、フランジ２１の材料および厚さの精選によって、第１のパネル５に対する取り付けの中に組み込まれ得ることも認められるであろう。
【００３２】
図９，１０および１１は、給電チェーンの取り付け位置における異なる剛性を概略的に示している。図９は、パネル５に対する取り付けにおけるボルト／フランジ剛性３１と、パネル６に対する取り付けにおけるボルト／クリート剛性３２とを示している。
【００３３】
図１０は、パネル５がパネル６に対して下方へ横方向移動する時に、剛性３１，３２が大きすぎる場合に、何が給電チェーン１に起こるかを示している。架台の曲がりが起こるのではなく、給電チェーン自体が曲がることが分かる。図１１は、より適切な剛性の架台を有する配置を示していて、これは、パネル５，６が互いに対して横方向に動く時に、給電チェーンが、まっすぐなままであることを可能にする。
【００３４】
図７および１２を参照すると、図１２は、２つのビーム当たり単一給電タイプの給電アセンブリ１５を有する通信衛星４７を示していて、各々は、２つのアンテナ反射器４５のうちの１つの方へ放射を向けている。アンテナ反射器４５のための架台は示されていないが、従来の如く、これらは、反射器が、衛星の積荷ベイ４８の中の（図示していない）収容位置と、図１２に示されている展開位置との間を移動することができるように設計されている。図７は、より詳細に単一の給電アセンブリを示していて、１９個の給電チェーン１のアレイを有していて、更に給電アセンブリの取付ボックス３３の放射面４６を有している。１９個の給電チェーン１のアレイは、衛星上の最小限の空間を用いて組み合わされたビーム受信可能範囲の連続性のために、ほとんど接触しているリム１１によって互いに密に隣接して取り付けられた給電ホーン７を有することが示されている。精査に応じて、給電チェーンの給電軸は、互いに平行ではないが、アンテナ反射器の表面で、又はその近くで一致することが観察されるであろう（図１２参照）。給電チェーン１のアレイは、取付ボックス３３の中に含まれている第１および第２のパネル５，６に取り付けられている。
【００３５】
給電チェーンは、反射器に対して又は反射器から放射線を送信する時に、かなりの量の熱を発するので、パネル５，６は、ヒートシンクとしての役割を果たして、給電アセンブリ１５から外へ熱を伝導し、取付ボックス３３の放射面４６によって外へ放出することが要求されることは認められるであろう。
【００３６】
アンテナ３４に対する給電ホーン７の異なるタイプの動きの影響が、図３，４および５に示されている。図３は、電気的に完全なシナリオを示している。給電ホーン７は、給電軸Ｄに沿ってアンテナ３４の方へ放射を向けているので、それはアンテナボアサイト（boresight）３５に沿って反射される。所望の給電軸Ｄに対する給電ホーンの横方向の動きは起こっていない。従って歪みはゼロであり、かつアンテナ利得は、アンテナ照準と共に維持される。理論的には、これは、例えばインバールまたは炭素繊維強化プラスチックのようなゼロに近い熱膨張係数の材料から製造された複数の給電アセンブリの取付パネルによって達成され得る。しかし、このような材料は、高価であり、かつ製造および熱設計において問題がある可能性がある（それらは、熱伝導率が低く、常に、要求されるほど効率的には、給電チェーンから外へ熱を伝導するとは限らない）。インバールの場合、その高い比重のせいで、かなりの質量の不利益もある。
【００３７】
図４は、図３と同様の配置を示しているが、給電アセンブリの給電チェーンが、従来このような給電アセンブリのために用いられたような軽いアルミニウム合金構造の単一の架台に取り付けられている。バルク温度効果のため、アセンブリの他の給電チェーンに対する、いくつかの給電チェーンの横方向のずれが常にある。この横方向のずれは、有限の大きさであるδによって図４に示されている。これは、アンテナの照準に対して不利な影響を及ぼす。例えば、０．０１°の照準誤差は、発生し得る。これは、ビームとビームの隔離を低下させ、かつ／または地球表面の指定領域にわたる受信可能範囲を減らす可能性がある。有限のアンテナボアサイト誤差θも図４に示されている。示した配置は、給電ホーンのボアサイト横方向平行移動のために、受信可能範囲の端３６で、わずかに低いアンテナ利得を与える。
【００３８】
図５は、給電ホーン７の横方向への片寄りはなく、給電軸Ｄのわずかな傾き３７だけがある場合を示している。本発明によるこの配置は、給電ホーンのボアサイト軸Ｄに対する給電ホーン７の開口１３の横方向の位置を維持している。しかし、ラインから傾けられているホーンボアサイトのために、わずかな給電ホーンの照準誤差がある。これは、ホーンボアサイトが傾いているため、受信可能範囲の端３８で、わずかに低いアンテナ利得をもたらす。しかし、アンテナボアサイトは、０度に等しくなっているθによって、影響を受けない状態が保たれていることに注目すべきである。ホーンボアサイト照準誤差は、上述したわずかに低い利得をもたらす０．１度の誤差であり得るが、実際には、非常に小さい影響しかない。
【００３９】
本発明によるアセンブリのジオメトリが、図２に示されている。ここで、給電チェーン１，２は、チタンの第１の取付パネル５と、アルミニウム合金の第２の取付パネル６とに取り付けられていることが示されている。給電軸３，４が、歪められた給電軸３’，４’と共に示されている。給電ホーンの開口１３の中心３９，４０が示されている。これらは、アセンブリに対するバルク温度変化が、給電軸３，４に対して横方向に、取付パネル５および６の膨張を引き起こす時、ゼロ歪みを受ける。チタンパネル５は、アルミニウム合金パネル６に対して約１／３の膨張を示す。距離「ａ」が１００ｍｍで、パネル間隔「ｂ」が２００ｍｍであるとき、これは、位置３９および４０で、ゼロまたはゼロに近い横方向の歪みをもたらす。言うまでもなく、給電チェーン１，２が位置３９，４０を越えて伸びていれば、横方向の歪みは、３９および４０で経験されるゼロまたはゼロに近い歪みから再び増加する。従って、位置４１，４２、すなわちパネル５から更に１００ｍｍの距離では、給電軸がパネル５で経験するのと同じ横方向の歪みを経験するが、この歪みは、逆の符号である。このように、位置４１，４２と４３，４４（給電軸がパネル５を貫通する所）との間のどこかに位置する、例えばホーン開口またはホーン位相中心のような給電チェーンの重要な部分は、パネル５またはパネル６で経験されるより少ない、温度変化に起因する横方向の歪みしか経験しない。このように、従来技術と比較して、本発明のアセンブリは、給電チェーンの送信／受信素子上の重要な点の減少された横方向の歪みを提供し、慎重な設計によって横方向の歪みをゼロまで低下させることができる。
【００４０】
図２に概略的に示した数学的関係を、図１を参照して以下で概説する。
【００４１】
今、以下のように考える。
パネル１は、バルク温度変化ΔＴ１（ＣＴＥ＝α１）を受ける。
パネル２は、バルク温度変化ΔＴ２（ＣＴＥ＝α２）を受ける。
【００４２】
基準線Ｏ−Ｏからの（パネル１における）前側固定位置の動きをδ１とし、
基準線Ｏ−Ｏからの（パネル２における）後側固定位置の動きをδ２とすると、
【００４３】
【数２】
2011515934.tif 000004
【００４４】
ホーン開口の動きを算出するために（位相中心の動きのためには、「ａ，δ３」を「ａ’，δ３’」に置き換える）、
Ｏ−Ｏ基準線に対する給電チェーンの傾き（slope）は、
【００４５】
【数３】
2011515934.tif 000005
【００４６】
ホーン開口における動きは、
【００４７】
【数４】
2011515934.tif 000006
【００４８】
ずれゼロすなわちδ３＝０であるためには、
【００４９】
【数５】
2011515934.tif 000007
【００５０】
同一のＭＦＡ温度上昇のために（アセンブリにわたる温度勾配は、１日の温度変動より小さいオーダーである傾向がある）、ΔＴ１＝ΔＴ２と仮定する。
δ３がゼロであるためには、
【００５１】
【数６】
2011515934.tif 000008
【００５２】
ここで以下のアセンブリについて考える。
ｂ＝２００ｍｍ
ａ＝１００ｍｍ
歪みを最小にするためには、
【００５３】
【数７】
2011515934.tif 000009
【００５４】
アルミニウムの後側パネル、チタンの前側パネルについて考えると、
【００５５】
【数８】
2011515934.tif 000010
【００５６】
これは、このジオメトリに対する最適の関係に近い。ジオメトリは、利用可能な材料に最も良く合うように最適化され得る。代替案として、前側パネルのために可能な他の材料は、AlBeMet（登録商標）である。これは以下の結果を与える。
【００５７】
【数９】
2011515934.tif 000011
【００５８】
これは、熱伸縮性歪みに対する利点をあまり与えないが、応用例によっては、かなりの質量の節減を与え、かつ給電支持構造の中での熱勾配を低下させる。
【符号の説明】
【００５９】
１，２  給電チェーン
３，４  給電軸
５  第１の取付パネル（架台）
６  第２の取付パネル（架台）
７，８  給電ホーン（送信／受信素子）
９，１０  端
１１，１２  リム
１３  給電開口
１４  位相中心
１５  給電アセンブリ
１６，１７  偏向素子
１８，１９  ＯＭＴ
【図１】
2011515934.tif 000013
【図２】
2011515934.tif 000014
【図３】
2011515934.tif 000015
【図４】
2011515934.tif 000016
【図５】
2011515934.tif 000017
【図６】
2011515934.tif 000018
【図７】
2011515934.tif 000019
【図８】
2011515934.tif 000020
【図９】
2011515934.tif 000021
【図１０】
2011515934.tif 000022
【図１１】
2011515934.tif 000023
【図１２】
2011515934.tif 000024
【国際調査報告】
2011515934.tif 000025
2011515934.tif 000026